【事件の表示】
　特許第６５９８４７５号に関する訂正審判事件について、次のとおり審決する。
【結　論】
　特許第６５９８４７５号の特許請求の範囲を本件審判請求書に添付された訂正特許請求の範囲のとおり訂正することを認める。
【理　由】
第１　手続の経緯
　特許第６５９８４７５号（請求項の数１１。以下、「本件特許」という。）は、平成２７年３月５日を出願日とする特許出願（特願２０１５−０４４０６６号）に係るものであって、令和１年１０月１１日に設定登録されたものである。
　その後、令和２年１０月２８日に、訂正審判（以下、「本件訂正審判」という。）の請求がなされたものである。
第２　請求の趣旨
　本件訂正審判の請求の趣旨は、特許第６５９８４７５号の特許請求の範囲を本件審判請求書に添付した訂正特許請求の範囲のとおり訂正することを認める、との審決を求めるものである。
第３　訂正の内容
　本件訂正審判の請求に係る訂正の内容は、以下の訂正事項１のとおりである。なお、下線は訂正箇所を示す。
・訂正事項１
　特許請求の範囲に
「【請求項１】
　ジエン系ゴム（Ａ）と、シリカ（Ｂ）と、シランカップリング剤（Ｃ）と、グアニジン類、システイン類、チオ尿素類、チオシアン酸アンモニウム、ジアルキルジチオリン酸亜鉛、チアジアゾール類から選ばれる少なくとも一種の活性剤（Ｄ）との全部又は一部、並びに、グリセリン脂肪酸エステル（Ｅ）を含む第１混合物を調製し、該第１混合物を混練することによって予備組成物を調製する、Ａ工程と、
　前記予備組成物に加硫剤（Ｆ）を加えて第２混合物を調製し、該第２混合物を混練することによってゴム組成物を調製する、Ｂ工程と、
　を含むゴム組成物の製造方法により製造されるゴム組成物であって、
　前記グリセリン脂肪酸エステル（Ｅ）が、グリセリンと、２種以上の脂肪酸とのエステルであって、該グリセリン脂肪酸エステルを構成する２種以上の脂肪酸のうち、最も多い脂肪酸成分が全脂肪酸中に１０〜９０質量％であることを特徴とする、
　ゴム組成物。
【請求項２】
　前記２種以上の脂肪酸のうち、最も多い脂肪酸成分が全脂肪酸中に１５〜８０質量％である、請求項１に記載のゴム組成物。
【請求項３】
　前記グリセリン脂肪酸エステル（Ｅ）が、グリセリン脂肪酸モノエステルを５０〜１００質量％含む、請求項１又は２に記載のゴム組成物。
【請求項４】
　前記グリセリン脂肪酸エステル（Ｅ）が、グリセリン脂肪酸モノエステルを６０〜９９質量％含む、請求項３に記載のゴム組成物。
【請求項５】
　前記グリセリン脂肪酸エステル（Ｅ）が、グリセリン脂肪酸モノエステルを８５〜９８質量％含む、請求項４に記載のゴム組成物。
【請求項６】
　前記グリセリン脂肪酸エステル（Ｅ）を構成する脂肪酸が、炭素数８〜２２である、請求項１〜５のいずれか一項に記載のゴム組成物。
【請求項７】
　前記グリセリン脂肪酸エステル（Ｅ）を構成する２種以上の脂肪酸のうち、最も多い脂肪酸成分と２番目に多い脂肪酸成分は、一方が炭素数１６の脂肪酸で他方が炭素数１８の脂肪酸である、請求項６に記載のゴム組成物。
【請求項８】
　前記炭素数が１６の脂肪酸と前記炭素数が１８の脂肪酸との質量比が９０／１０〜１０／９０である、請求項７に記載のゴム組成物。
【請求項９】
　前記グリセリン脂肪酸エステル（Ｅ）の配合量が、前記シリカ（Ｂ）１００質量部に対して０．５〜２０質量部である、請求項１〜８のいずれか一項に記載のゴム組成物。
【請求項１０】
　前記活性剤（Ｄ）が、チオ尿素、ジエチルチオ尿素、チアジアゾール類から選ばれる少なくとも一種である、請求項１〜９のいずれか一項に記載のゴム組成物。
【請求項１１】
　請求項１〜１０のいずれか一項に記載のゴム組成物を用いたことを特徴とする、タイヤ。」
と記載されているのを、
「【請求項１】
　ジエン系ゴム（Ａ）と、シリカ（Ｂ）と、シランカップリング剤（Ｃ）と、グアニジン類、システイン類、チオ尿素類、チオシアン酸アンモニウム、ジアルキルジチオリン酸亜鉛、チアジアゾール類から選ばれる少なくとも一種の活性剤（Ｄ）との全部又は一部、並びに、グリセリン脂肪酸エステル（Ｅ）を含む第１混合物を調製し、該第１混合物を混練することによって予備組成物を調製する、Ａ工程と、
　前記予備組成物に加硫剤（Ｆ）を加えて第２混合物を調製し、該第２混合物を混練することによってゴム組成物を調製する、Ｂ工程と、
　を含むゴム組成物の製造方法により製造される
タイヤ用
　前記グリセリン脂肪酸エステル（Ｅ）が、グリセリンと、２種以上の脂肪酸とのエステルであって、該グリセリン脂肪酸エステルを構成する２種以上の脂肪酸のうち、最も多い脂肪酸成分が全脂肪酸中に１０〜９０質量％であることを特徴とする、
　
タイヤ用
【請求項２】
　前記２種以上の脂肪酸のうち、最も多い脂肪酸成分が全脂肪酸中に１５〜８０質量％である、請求項１に記載の
タイヤ用
【請求項３】
　前記グリセリン脂肪酸エステル（Ｅ）が、グリセリン脂肪酸モノエステルを５０〜１００質量％含む、請求項１又は２に記載の
タイヤ用
【請求項４】
　前記グリセリン脂肪酸エステル（Ｅ）が、グリセリン脂肪酸モノエステルを６０〜９９質量％含む、請求項３に記載の
タイヤ用
【請求項５】
　前記グリセリン脂肪酸エステル（Ｅ）が、グリセリン脂肪酸モノエステルを８５〜９８質量％含む、請求項４に記載の
タイヤ用
【請求項６】
　前記グリセリン脂肪酸エステル（Ｅ）を構成する脂肪酸が、炭素数８〜２２である、請求項１〜５のいずれか一項に記載の
タイヤ用
【請求項７】
　前記グリセリン脂肪酸エステル（Ｅ）を構成する２種以上の脂肪酸のうち、最も多い脂肪酸成分と２番目に多い脂肪酸成分は、一方が炭素数１６の脂肪酸で他方が炭素数１８の脂肪酸である、請求項６に記載の
タイヤ用
【請求項８】
　前記炭素数が１６の脂肪酸と前記炭素数が１８の脂肪酸との質量比が９０／１０〜１０／９０である、請求項７に記載の
タイヤ用
【請求項９】
　前記グリセリン脂肪酸エステル（Ｅ）の配合量が、前記シリカ（Ｂ）１００質量部に対して０．５〜２０質量部である、請求項１〜８のいずれか一項に記載の
タイヤ用
【請求項１０】
　前記活性剤（Ｄ）が、チオ尿素、ジエチルチオ尿素、チアジアゾール類から選ばれる少なくとも一種である、請求項１〜９のいずれか一項に記載の
タイヤ用
【請求項１１】
　請求項１〜１０のいずれか一項に記載の
タイヤ用
に訂正する。
第４　当審の判断
１　訂正の目的について
　上記訂正事項１は、本件訂正前の請求項１〜１１に記載された発明特定事項である「ゴム組成物」について、「タイヤ用ゴム組成物」とその用途について限定するものであるから、特許請求の範囲の減縮を目的とするものである。
　したがって、上記訂正事項１は、特許法第１２６条第１項ただし書第１号に規定する特許請求の範囲の減縮を目的とするものである。
２　特許請求の範囲の実質拡張又は変更について
　上記訂正事項１は、本件訂正前の請求項１〜１１に記載された発明特定事項を限定するものであるから、特許請求の範囲を拡張するものではなく、また、カテゴリーや対象、目的を変更するものではない。
　したがって、上記訂正事項１は、実質上特許請求の範囲を拡張し、又は変更するものには該当せず、特許法第１２６条第６項に規定する要件に適合するものである。
３　新規事項の追加について
　上記訂正事項１は、本件の願書に添付した明細書の段落【００６９】及び【００７０】の「また、本発明のゴム組成物は、後述するタイヤを始め、防振ゴム、ベルト、ホース等の種々のゴム製品に利用できる。」及び「本発明のタイヤは、上述したゴム組成物を用いたことを特徴とする。本発明のタイヤは、前記ゴム組成物が用いられているため、転がり抵抗が小さく、破壊特性、耐摩耗性に優れる。ここで、前記ゴム組成物を用いるタイヤの部位としては、トレッド等が挙げられる。」との記載に基づくものであり、願書に添付した明細書、特許請求の範囲の全ての記載を総合することにより導かれる技術的事項との関係において新たな技術的事項を導入するものでない。
　したがって、上記訂正事項１は、願書に添付した明細書、特許請求の範囲に記載した事項の範囲内においてしたものであるから、特許法第１２６条第５項に規定する要件に適合するものである。
４　独立特許要件について
　上記「１　訂正の目的について」で検討したとおり、上記訂正事項１は、特許請求の範囲の減縮を目的とするものであるから、本件訂正後の特許請求の範囲の請求項１〜１１に係る発明が、特許出願の際独立して特許を受けることができるものか否かについて検討するに、これら発明が特許出願の際独立して特許を受けることができないものであるとする理由は発見しない。
　したがって、上記訂正事項１は、特許法第１２６条第７項の規定に適合するものである。
第５　むすび
　以上のとおりであるから、本件訂正審判の請求に係る訂正は、特許法第１２６条第１項ただし書第１号に掲げる事項を目的とし、かつ、同条第５項ないし第７項の規定に適合する。
　よって、結論のとおり審決する。